(57)【特許請求の範囲】
【請求項１】
タイヤの製造に用いるタイヤ用ベルトの製造方法であって、金属製の補強コードを並列してゴム材中に埋設してなる長尺のベルト用帯状材料を長手方向に間欠的に送りながら所定長さ寸法に切断する切断工程部と、切断された所定長のベルト材片を整列コンベア上で整列させて接合する整列工程部とを平行に配置しておき、
前記切断工程部では、材料供給部から引き出された前記ベルト用帯状材料を設定された長さ寸法ずつを間欠的に給送し、この１回の給送毎に、該帯状材料の先端側部分をカッター装置の部分を通過させて該カッター装置より送り方向前方の保持用テーブル上に保持するとともに、この保持状態下で、前記カッター装置により前記帯状材料の先端側部分を長手方向に対し斜めに切断して、長手方向両端が斜めの切断端よりなる短冊状のベルト材片とし、
その後、切断された前記ベルト材片を、前記切断工程部と整列工程部とに跨る移載装置に備える保持手段により保持して、前記保持用テーブル上から整列工程部の整列コンベア上に移送するとともに、前記斜めの切断端が整列コンベアの搬送方向と同方向をなすように回動させて該整列コンベア上に前記切断端を揃えるように載置し、
前記整列工程部では、前記整列コンベア上に前記ベルト材片が移載される毎に、該整列コンベアを前記ベルト材片に対応する寸法分ずつ間欠的に送行させ、各ベルト材片を順次整列させて側辺同士を接合し、補強コードが斜め方向をなすベルト部材を形成する、
ことを特徴とするタイヤ用ベルトの製造方法。
【請求項２】
前記整列コンベア上においてベルト材片を整列し接合して形成されるベルト部材を、整列コンベア上から直接タイヤ成型工程における成型ドラム上に送出する請求項１に記載のタイヤ用ベルトの製造方法。
【請求項３】
タイヤの製造に用いるタイヤ用ベルトの製造装置であって、金属製の補強コ−ドを並列してゴム材中に埋設してなる長尺のベルト用帯状材料を長手方向に間欠的に送りながら所定長さに切断する切断工程部と、この切断工程部と平行に配置された整列コンベアを含み、かつ切断されたベルト材片を該整列コンベア上で順次整列して接合する整列工程部と、前記切断工程部で切断された前記ベルト材片を前記整列コンベア上に移載する移載装置とを備えてなり、
前記切断工程部は、長尺の前記ベルト用帯状材料を引き出し可能に保持する材料供給部と、前記材料供給部から引き出される前記帯状材料を所定の送行部に沿って設定された所定長さずつ間欠的に給送する定寸送り装置と、前記定寸送り装置による前記帯状材料の間欠的な給送毎に該帯状材料の先端側部分を所定長さにかつ長手方向に対して斜めに切断するカッター装置と、前記カッター装置より送り方向前方において前記カッター装置の部分を通過した前記帯状材料の先端側部分を受け、かつ該先端側部分を所定位置に保持する保持用テーブルとを備えてなり、
前記移載装置は、前記切断工程部と前記整列工程部との上方で交差方向に跨って往復移動可能な移動体を備え、該移動体には前記ベルト材片を吸着保持する保持手段が昇降及び回動可能に支持されており、前記カッター装置による切断後に、前記保持用テーブル上の切断された前記ベルト材片を、前記保持手段により吸着保持して持ち上げ整列工程部の整列コンベア上に移送するとともに、斜めの切断端が前記整列コンベアの搬送方向と同方向をなすように回動させて該整列コンベア上に前記切断端を揃えて載置するように設けられてなり、
前記整列工程部は、前記ベルト材片が整列コンベア上に移載される毎に、該整列コンベアが前記ベルト材片に対応する寸法分ずつ間欠的に送行し、各ベルト材片を順次斜めに整列させて側辺同士を接合するように設けられてなる、
ことを特徴とするタイヤ用ベルトの製造装置。
【請求項４】
前記材料供給部から引き出される前記ベルト用帯状材料の送行部として、該帯状材料を水平に保持して長手方向に送るための送りテーブルを備え、この送りテーブルにおけるカッター装置側の端部近傍位置の下方側に、カッター装置による切断時に該送りテーブル上の前記ベルト用帯状材料を保持する保持手段が設けられてなる請求項３に記載のタイヤ用ベルトの製造装置。
【請求項５】
前記カッター装置は、前記ベルト用帯状材料の送行部を挟んで上下一対のカッター刃を有し、該両カッター刃により前記帯状材料を長手方向に対して斜めに切断できるように設けられるとともに、前記帯状材料の長手方向に対する前記両カッター刃の斜めの角度方向が変更調整可能に設けられてなる請求項３又は４に記載のタイヤ用ベルトの製造装置。
【請求項６】
前記カッター装置は、上下一対のカッター刃のうちの上側のカッター刃が、サーボモータにより回転するカム軸に連結されて上下動するアーム部材に取り付けられてなる請求項５に記載のタイヤ用ベルトの製造装置。
【請求項７】
前記保持用テーブルは、前記ベルト用帯状材料の先端側部分を受けるテーブル体を有するとともに、該テーブル体の両側に、給送されてくる前記帯状材料を両側から挟着するように変位可能な一対の位置決めガイドが設けられてなる請求項３又は４に記載のタイヤ用ベルトの製造装置。
【請求項８】
前記保持用テーブルは、前記ベルト用帯状材料の送り方向に進退可能に支持され、前記帯状材料の切断後に、切断されたベルト材片を保持した状態のまま送り方向前方に進出して前記カッター装置から切り離されるように設けられてなる請求項７に記載のタイヤ用ベルトの製造装置。
【請求項９】
前記整列コンベアは、前記移載装置による前記ベルト材片の移載位置付近のコンベア体の裏面に近接して、前記ベルト材片を前記コンベア体上に保持する磁気吸着手段が設けられてなる請求項３又は４に記載のタイヤ用ベルトの製造装置。
【請求項１０】
前記整列コンベアは、その送出側端部が、タイヤ製造上におけるベルト部材を貼り付け成型する位置の成型ドラムに対向するように設置され、該コンベアの上方と前記成形ドラムの上方との間で往復移動可能な移動体と、前記移動体に昇降及び回動可能に支持されかつ吸着手段が配設された保持体とを備えてなる貼り付け用ハンド装置を備え、前記整列コンベア上の前記ベルト部材の先端部を前記吸着手段により吸着保持して、整列コンベアの搬送に同期して成型ドラム上に移送して貼り付けるように設けられてなる請求項３又は４に記載のタイヤ用ベルトの製造装置。
【請求項１１】
前記材料供給部は、前記ベルト用帯状材料を長手方向に送るための送行部の下方部において、前記帯状材料を前記送行部の送り方向とは反対方向に引き出し可能に設けられており、引き出された帯状材料が方向転回されて上方の送行部にその後端側から送り方向に供給されるように構成されてなる請求項３又は４に記載のタイヤ用ベルトの製造装置。
【請求項１２】
前記材料供給部は、前記ベルト用帯状材料をロール状に巻回した複数の巻回体を一定間隔に並列して支持する支持軸を備え、所定の引き出し位置に位置する前記巻回体の帯状材料を引き出せるように設けられるとともに、該支持軸を支承する支柱の台部が該支持軸の軸方向に移動可能に設けられており、各巻回体を順次前記所定の引き出し位置に移動させて、それぞれの帯状材料を引き出せるように構成されてなる請求項１１に記載のタイヤ用ベルトの製造装置。
【請求項１３】
前記材料供給部には、前記巻回体が所定の引き出し位置に位置する毎に、該巻回体の帯状材料の先端を、先に引き出された帯状材料の終端部に対し接続する自動接続装置が設けられている請求項１１に記載のタイヤ用ベルトの製造装置。
【発明の詳細な説明】
【技術分野】
【０００１】
本発明は、空気入りタイヤのベルト層に使用するベルト部材、特には補強コードが斜め方向をなすベルト部材を、比較的幅の小さい長尺のベルト用帯状材料から切断、整列、接合して形成するタイヤ用ベルトの製造方法及び装置を提供するものである。
【背景技術】
【０００２】
従来より、空気入りタイヤのベルト層は、多数本の補強コードであるスチールコードを並列してゴム材中に埋設処理した比較的広幅の帯状材料を、製造対象のタイヤのベルト幅に相当する長さで斜めに切断し、切断された各帯状片を切断端が両側縁になるように揃えて側辺同士を接合することにより、所定のベルト幅の長尺のベルト材を形成し、これをロール状に巻き取って台車等に支持し、ストックしておく。【０００３】
そして、タイヤ製造上のタイヤ成型工程において、ベルトを貼り付け成型する際、前記ロール状に巻回した長尺のベルト材を台車等から引き出して、ベルト層の１周分に相当する長さに補強コードの沿う方向に切断して、タイヤのベルト層を構成するベルト部材を得るようにしている。【０００４】
しかしながら、一つのタイヤのベルト部材は、タイヤサイズに応じて幅や長さが異なることから、製造するタイヤの種別やサイズに応じて、多数種のベルト材を形成して前記のようにストックしておく必要がある。このため、タイヤ製造工場にはかなり広いストック用のスペースを必要とする。また、ストックされた多数のベルト材からの製造対象のタイヤに応じたベルト材を選択して、これを成形工程に搬送して使用するが、その選択、搬送及び交換作業がきわめて面倒であり、製造効率の向上を妨げる一因となっている。殊に、多品種小量生産の場合には、前記ベルト材を支持する台車を交換する段替え作業を頻繁に行う必要があった。【０００５】
近年、前記従来の問題を解決するものとして、下記の特許文献１及び特許文献２に開示されているように、複数本の補強コードをゴム材に埋設してなる比較的細幅の長尺の帯状材料の定寸送り装置を、搬送コンベアに対して所定角度の斜めに配置し、前記帯状材料と搬送コンベアとを同期させて交互に間欠移動させながら、前記帯状材料を長手方向に対し斜めに切断して所定長の短冊状のベルト材片（ストリップ片）を得るとともに、前記ベルト材片を前記搬送コンベアに移載し、スプライス装置により各ベルト部片の辺同士を突き合わせるように整列させて接合することにより、タイヤ１周分に相当する長さのベルト部材を作製するようにしたものが開示されている。【０００６】
しかし、前記の方法による場合、前記ベルト材片を整列するための搬送コンベアに対して、定寸送り装置を斜めに配置しておいて帯状材料を斜めに供給するものであるため、ベルト部材の製造装置の設備全体としては、前記搬送コンベアと定寸送り装置を平行配置する場合よりも広いスペースを必要とする。また角度調整の際には、定寸送り装置の角度を変更する必要がある上、接合のためのスプライス装置の角度も合わせて変更する必要があり、その変更調整のための機構が大がかりなものになり、またその調整に時間もかかることになる。【０００７】
さらに、前記のように細幅の帯状材料を所定長で斜めに切断したベルト材片を多数整列し接合してベルト部材を作製する場合、帯状材料の切断、切断されたベルト材片の整列がそれぞれ精度よく行われないと、接合精度に影響し、接合が不均一、不完全になったり、歪みが生じたりする虞があり、良品質のベルト部材を効率よく得ることができないことになる。歪みのあるベルト部材や接合が不均一なベルト部材を使用すると、タイヤのユニフォミティを損なうことになる。【０００８】
したがって、前記のように帯状材料を切断して得た短冊状のベルト材片を多数枚整列し接合してベルト部材を作製する場合は、良品質のベルト部材を得るために、前記の切断の際の歪み、移載及び整列時の歪み、接合時の歪みの発生を、簡単な手段で抑制できることが重要な要素になる。
【特許文献１】特開平１１−９９５６４号公報
【特許文献２】特開２０００−２８０３７３号公報
【発明の開示】
【発明が解決しようとする課題】
【０００９】
本発明は、上記の問題を解決するためになしたものであり、比較的小さい幅の長尺のベルト用帯状材料をベルト幅に応じた所定の長さで斜めに切断し、切断された所定長のベルト材片を接合してタイヤ１周分に相当する長さのベルト部材を作製する場合において、装置全体の設置スペースが大きくならず、しかも切断、移載、整列等の各工程を安定性よく行え、接合精度が高く、良品質のベルト部材を効率よく製造できるとともに、帯状材料に対する切断角度の調整も容易に行える、タイヤ用ベルトの製造方法及び装置を提供するものである。
【課題を解決するための手段】
【００１０】
本発明は、タイヤの製造に用いるタイヤ用ベルトの製造方法であって、金属製の補強コードを並列してゴム材中に埋設してなる長尺のベルト用帯状材料を長手方向に間欠的に送りながら所定長さ寸法に切断する切断工程部と、切断された所定長のベルト材片を整列コンベア上で整列させて接合する整列工程部とを平行に配置しておき、前記切断工程部では、材料供給部から引き出された前記ベルト用帯状材料を設定された長さ寸法ずつを間欠的に給送し、この１回の給送毎に、該帯状材料の先端側部分をカッター装置の部分を通過させて該カッター装置より送り方向前方の保持用テーブル上に保持するとともに、この保持状態下で、前記カッター装置により前記帯状材料の先端側部分を長手方向に対し斜めに切断して、長手方向両端が斜めの切断端よりなる短冊状のベルト材片とし、その後、切断された前記ベルト材片を、前記切断工程部と整列工程部とに跨る移載装置に備える保持手段により保持して、前記保持用テーブル上から整列工程部の整列コンベア上に移送するとともに、前記斜めの切断端が整列コンベアの搬送方向と同方向をなすように回動させて該整列コンベア上に前記切断端を揃えるように載置し、前記整列工程部では、前記整列コンベア上に前記ベルト材片が移載される毎に、該整列コンベアを前記ベルト材片に対応する寸法分ずつ間欠的に送行させ、各ベルト材片を順次整列させて側辺同士を接合し、補強コードが斜め方向をなすベルト部材を形成する、ことを特徴とする。【００１１】
この発明によれば、間欠的に給送されるベルト用帯状材料の先端側部分の斜めの切断から、切断されたベルト材片の整列コンベアへの移載、整列、接合までの各工程を、前記帯状材料及び切断されたベルト材片を常に所定の位置及び姿勢に保持した状態で行う。そのため、切断の際に帯状材料の動きを規制できて、該帯状材料をベルト幅に応じて設定した所定長さで、かつ所定角度の斜め方向に歪みなく正確に切断でき、また、切断された後のベルト材片の移載及び整列の際のずれ動き等も規制でき、整列コンベア上の所定の位置に、斜めの切断端の方向を揃えて歪みを生じさせることなく移載し整列させることができる。したがって、切断工程部と整列工程部とを平行配置しているにも拘わらず、各ベルト材片を正確に且つ均一に接合することができ、良品質のベルト部材を得ることができる。【００１２】
前記のベルトの製造方法において、前記整列コンベア上でのベルト材片の整列、接合により形成されたタイヤ１周分の長さのベルト部材を、整列コンベア上から直接タイヤ成型工程における成型ドラム上に送出することができる。これにより、タイヤの成型効率を高めることができる。【００１３】
また、本発明のタイヤ用ベルトの製造装置は、前記の製造方法の実施に使用するものであって、金属製の補強コ−ドを並列してゴム材中に埋設してなる長尺のベルト用帯状材料を長手方向に間欠的に送りながら所定長さに切断する切断工程部と、この切断工程部と平行に配置された整列コンベアを含み、かつ切断されたベルト材片を該整列コンベア上で順次整列して接合する整列工程部と、前記切断工程部で切断された前記ベルト材片を前記整列コンベア上に移載する移載装置とを備えてなり、それぞれ次のように構成されていることを特徴とする。【００１４】
前記切断工程部は、長尺の前記ベルト用帯状材料を引き出し可能に保持する材料供給部と、前記材料供給部から引き出される前記帯状材料を所定の送行部に沿って設定された所定長さずつ間欠的に給送する定寸送り装置と、前記定寸送り装置による前記帯状材料の間欠的な給送毎に該帯状材料の先端側部分を所定長さにかつ長手方向に対して斜めに切断するカッター装置と、前記カッター装置より送り方向前方において前記カッター装置の部分を通過した前記帯状材料の先端側部分を受け、かつ該先端側部分を所定位置に保持する保持用テーブルとを備えている。【００１５】
前記移載装置は、前記切断工程部と前記整列工程部との上方で交差方向に跨って往復移動可能な移動体を備え、該移動体には前記ベルト材片を吸着保持する保持手段が昇降及び回動可能に支持されており、前記カッター装置による切断後に、前記保持用テーブル上の切断された前記ベルト材片を、前記保持手段により吸着保持して持ち上げ整列工程部の整列コンベア上に移送するとともに、斜めの切断端が前記整列コンベアの搬送方向と同方向をなすように回動させて該整列コンベア上に前記切断端を揃えて載置するように設けられてなる。【００１６】
前記整列工程部は、前記ベルト材片が整列コンベア上に移載される毎に、該整列コンベアが前記ベルト材片に略相当する寸法分ずつ間欠的に送行し、各ベルト材片を順次斜めに整列させて側辺同士を接合するように設けられてなる。【００１７】
この発明のタイヤ用ベルトの製造装置によれば、長尺のベルト用帯状材料を所定長さに切断する切断工程部と、切断されたベルト材片を整列コンベア上で整列させて接合する整列工程部とを平行に配置したことにより、ベルトを製造する装置設備全体の設置スペースを小さくできる。そればかりか、前記帯状材料を保持テーブル上に保持した状態で所定の長さ、所定角度の斜め方向に歪みを生じることなく確実に切断できる。しかも、切断された短冊状のベルト材片を、移載装置の保持手段により吸着保持した状態で整列コンベア上に自動的に移載しかつ整列させることができ、移載及び整列の際にも歪みやずれ等を生じさせることがなく、各ベルト材片を精度よく均一に接合することができる。それゆえ、上記した製造方法を良好に実施でき、比較的細幅のベルト材片を接合するにも拘わらず、全体的なバランスのよい良品質のベルト部材を効率よく製造することができる。【００１８】
前記のタイヤ用ベルトの製造装置において、前記材料供給部から引き出される前記ベルト用帯状材料の送行部として、該帯状材料を水平に保持して長手方向に送るための送りテーブルを備え、この送りテーブルにおけるカッター装置側の端部近傍位置の下方側に、カッター装置による切断時に該送りテーブル上の前記ベルト用帯状材料を保持する保持手段が設けられてなるものとすることができる。これにより、間欠的に給送されてくる前記帯状材料を、カッター装置の部分を通過した先端側部分のみでなく、送りテーブルの側でも該帯状材料を送りテーブル上に保持でき、カッター装置の両側で帯状材料の動きを制した状態で確実に切断できることになる。【００１９】
前記の製造装置において、前記カッター装置は、前記ベルト用帯状材料の送行部を挟んで上下一対のカッター刃を有し、該両カッター刃により前記帯状材料を長手方向に対して斜めに切断できるように設けられるとともに、前記帯状材料の長手方向に対する前記両カッター刃の斜めの角度方向が変更調整可能に設けられてなるものが好ましい。これにより、スチールコード等の金属製の補強コードを含む帯状材料を、機械的に確実に切断できる上、帯状材料の長手方向に対する前記カッター刃による切断角を容易に変更し調整できる。【００２０】
また、前記カッター装置は、上下一対のカッター刃のうちの上側のカッター刃が、サーボモータにより回転するカム軸に連結されて上下動するアーム部材に取り付けられてなるものが好ましい。これにより、比較的小容量のサーボモータにより帯状材料を切断することができる。【００２１】
前記保持用テーブルは、前記ベルト用帯状材料の先端側部分を受けるテーブル体を有するとともに、該テーブル体の両側に、給送されてくる前記帯状材料を両側から挟着するように変位可能な一対の位置決めガイドが設けられてなるものが好ましい。これにより、前記前記帯状材料の先端側部分を、所定の位置に歪みなく位置決めして保持できて、ずれなく切断でき、ひいては切断後の移載整列、接合を、ずれを生じさせることなく行うことができる。【００２２】
前記保持用テーブルは、前記ベルト用帯状材料の送り方向に進退可能に支持され、前記帯状材料の切断後に、切断されたベルト材片を保持した状態のまま送り方向前方に進出して前記カッター装置から切り離されるように設けられてなるものとすることができる。これにより、切断したベルト材片をカッター装置の部分から分離させることができる上、保持用テーブル上の切断されたベルト材片を前記移載装置の保持手段により前記カッター装置に邪魔されることなく確実に吸着保持でき、移載作用を問題なく行える。【００２３】
前記整列コンベアは、前記移載装置による前記ベルト材片の移載位置付近のコンベア体の裏面に近接して、前記ベルト材片を前記コンベア体上に保持する磁気吸着手段が設けられてなるものとすることができる。これにより、前記移載装置により移載されてくるベルト材片を、整列コンベア上の所定位置に安定性よく載置できるとともに、この後、移載装置に備える保持手段による保持を解除しても、該整列コンベア上のベルト材片が動いたりずれたりすることがなく、そのため、次に移載されてくるベルト材片との接合をずれなく正確に行うことができる。【００２４】
前記整列コンベアは、その送出側端部が、タイヤ製造上におけるベルト部材を貼り付け成型する位置の成型ドラムに対向するように設置され、該コンベアの上方と前記成形ドラムの上方との間で往復移動可能な移動体と、下方向きに進退可能な吸着手段が配設されかつ前記移動体に昇降及び回動可能に支持された保持体とよりなる貼り付け用ハンド装置を備え、前記整列コンベア上の前記ベルト部材の先端部を前記吸着手段により吸着保持して、整列コンベアの搬送に同期して成型ドラム上に移送して貼り付けるように設けられてなるものとすることができる。これにより、整列コンベア上において形成されたベルト部材を直接タイヤ成型工程における成型ドラムに送出して、貼り付け成型できる。【００２５】
前記材料供給部は、前記ベルト用帯状材料を長手方向に送るための送行部の下方部において、前記帯状材料を前記送行部の送り方向とは反対方向に引き出し可能に設けられており、引き出された帯状材料が方向転回されて上方の送行部にその後端側から送り方向に供給されるように構成されてなるものとすることができる。これにより、前記材料供給部を切断工程部のスペース内に配置でき、装置設備全体のレイアウトをコンパクトに設定できる。【００２６】
前記材料供給部は、前記ベルト用帯状材料をロール状に巻回した複数の巻回体を一定間隔に並列して支持する支持軸を備え、所定の引き出し位置に位置する前記巻回体の帯状材料を引き出せるように設けられるとともに、該支持軸を支承する支柱の台部が該支持軸の軸方向に移動可能に設けられており、各巻回体を順次前記所定の引き出し位置に移動させて、それぞれの帯状材料を引き出せるように構成されてなるものとすることができる。これにより、帯状材料の供給作業が容易になる。【００２７】
また、前記材料供給部には、前記巻回体が所定の引き出し位置に位置する毎に、該巻回体の帯状材料の先端を、先に引き出された帯状材料の終端部に対し接続する自動接続装置が設けられているものが好ましく、これにより各巻回体の帯状材料を順次自動接続しながら供給できることになる。
【発明の効果】
【００２８】
上記のように本発明のタイヤ用ベルトの製造方法及び装置によれば、比較的小さい幅の長尺の帯状材料を、比較的小さい幅の長尺の帯状材料をベルト幅に応じた所定の長さで斜めに切断し、切断された所定長のベルト材片を接合してタイヤ１周分に相当する長さのベルト部材を作製する場合において、切断工程部と整列工程部とを平行配置したことにより、製造装置の設備全体の設置スペースを小さくでき、工場内のスペースを有効利用できる。【００２９】
そればかりか、特に切断、移載、整列等の各工程の作業を所定位置及び姿勢に保持した状態で安定して行え、歪み等を生じさせることがなく、各ベルト材片の接合精度を高めることができ、均一性のよい良品質のベルト部材を効率よく製造できる。しかも、タイヤ製造上のタイヤ成型サイクルに合わせてベルト部材を製造できるため、タイヤ製造効率を向上できることにもなる。また、カッター装置のカッター刃の方向を調整するだけで、帯状材料の長手方向に対する斜めの切断角を変更調整できるため、製造するタイヤの変更に伴う多種のベルト部材を容易に製造できることになる。
【発明を実施するための最良の形態】
【００３０】
次に本発明の実施の形態を図面に示す実施例に基づいて説明する。【００３１】
図１〜図３は、本発明のタイヤ用ベルトの製造方法を実施する１実施例の製造装置の全体の概略を示しており、基本的に、図４のように、磁性材料としての金属材よりなる補強コ−ドＣを並列してゴム材Ｒ中に埋設してなる比較的細幅の長尺のベルト用帯状材料Ｂを、所定の長さで両端を斜めに切断し、得られた短冊状のベルト材片ｂを、斜めの切断端を揃えるように整列して接合することにより、タイヤ１周分に相当する長さでコード方向が斜めをなすベルト部材Ｂ１０を製造するものである。なお、前記ベルト用帯状材料は、短冊状に切断したベルト材片ｂの接合のために、ゴム材Ｒによる両側端面は同方向に傾斜した傾斜面とし、該傾斜面同士の重ね合わせにより確実に接合できるように形成しておくのが望ましい。【００３２】
図において、Ａ１は前記ベルト用帯状材料Ｂ（以下、単に帯状材料という）を長手方向に間欠的に送りながら所定長さに切断する切断工程部、Ａ２はこの切断工程部Ａ１と平行に配置され、かつ切断された短冊状のベルト材片ｂを後述する整列コンベア６０上で順次整列して接合する整列工程部、Ｔは前記切断工程部Ａ１で切断された前記ベルト材片ｂを前記整列工程部Ａ２の整列コンベア６０上に移載する移載装置を示す。前記帯状材料Ｂの幅は、通常２０〜１００ｍｍ、好ましくは３０〜５０ｍｍのものが好適に使用されるが、もちろん前記範囲外の幅の帯状材料の使用も可能である。【００３３】
なお、図１〜図３の製造装置は、コードの方向が左右反対の傾斜をなす第１と第２のベルト部材Ｂ１０，Ｂ２０を製造するように、２つの製造装置Ｅ１，Ｅ２を並設したものであるが、両装置Ｅ１，Ｅ２は基本的に対称にして略同様に構成されるので、以下、一方の製造装置Ｅ１について具体的に説明する。【００３４】
前記切断工程部Ａ１は、長尺の前記帯状材料Ｂを引き出し可能に保持する材料供給部１と、前記材料供給部１から引き出される前記帯状材料Ｂを後述する送りテーブル２１よりなる送行部に沿って設定された所定長さずつ間欠的に給送する定寸送り装置２０と、前記定寸送り装置２０による前記帯状材料Ｂの間欠的な給送毎に該帯状材料Ｂの先端側部分を所定長さにかつ長手方向に対して斜めに切断するカッター装置３０と、前記カッター装置３０より送り方向前方において前記カッター装置３０の部分を通過した前記帯状材料Ｂの先端側部分を受けて所定位置に位置決めして保持する保持用テーブル４０とを備えている。【００３５】
前記材料供給部１について、図５〜図７に基づいて説明する。この材料供給部１は、前記帯状材料Ｂを長手方向に送るための送りテーブル２１の下方部において、前記帯状材料Ｂを前記送りテーブル２１での送り方向とは反対方向に引き出し可能に設けられ、引き出された前記帯状材料Ｂを方向転回して上方の送りテーブル２１にその後端側から送り方向に供給するように構成されている。【００３６】
図の場合、前記材料供給部１には、前後に間隔をおいて並列する２つの供給支持部１ａ，１ｂが設置されている。前後の供給支持部１ａ，１ｂには、それぞれ前記帯状材料Ｂをロール状に巻回した複数（図の場合は４個）の巻回体Ｂａ，Ｂｂを一定間隔に並列して支持する片持ちの支持軸２ａ，２ｂを備え、所定の引き出し位置に位置する前記巻回体Ｂａ，Ｂｂの帯状材料Ｂを引き出せるように設けられるとともに、該支持軸２ａ，２ｂを支承する支柱３ａ，３ｂの台部４ａ，４ｂが該支持軸２ａ，２ｂの軸方向に移動可能に設けられており、各巻回体Ｂａ，Ｂｂを順次前記所定の引き出し位置に移動させて、それぞれの帯状材料Ｂを順次引き出せるように構成されている。前記台部４ａ，４ｂの移動手段としては、種々の移動用の駆動機構を利用できるが、図の場合、サーボモータにより回転駆動されるボールネジ機構５ａ，５ｂを利用している。【００３７】
図中の６は、前記材料供給部１における帯状材料Ｂの引き出し側になる前記送りテーブル２１の後端部やや下方に設けた送り出し用駆動ローラ、６ａは該駆動ローラ６と対をなす押さえローラであり、前記駆動ローラ６がモータ等により回転駆動されることにより、前記帯状材料Ｂを前記両ローラ６，６ａ間に挟んで所定の速度で送り出せるように設けられている。【００３８】
前記材料供給部１には、前記巻回体Ｂａ，Ｂｂが所定の引き出し位置に位置する毎に、該巻回体Ｂａ，Ｂｂの帯状材料Ｂの先端を、先に引き出された帯状材料Ｂの終端部に対して自動接続できるように設けられている。【００３９】
その手段として、図示する実施例の場合、前記駆動ローラ６より前記巻回体Ｂａ，Ｂｂの支持側に、前記駆動ローラ６により引き出される帯状材料Ｂを受ける受け台７が設けられるとともに、その上方に前記受け台７に対し降下し押圧可能なエアシリンダー等による押さえ装置８が設けられている。また、前記支持軸２ａ，２ｂ上の各巻回体Ｂａ，Ｂｂの引き出し方向やや前方上方に、それぞれ前記各帯状材料Ｂの先端部を引き出して待機させておく待機台９ａ，９ｂが設けられている。さらに前記待機台９ａ，９ｂ上の帯状材料Ｂの先端部を把持して前記受け台７上に移動させるハンド装置１０が上下及び前後方向に移動可能に設けられている。【００４０】
前記ハンド装置１０は、サーボモータにより回転するボールネジ機構等の移動手段１２により前後方向に往復移動する移動体１３に、エアシリンダー等の進退手段を介して上下動可能に支持されており、前記前後の供給支持部１ａ，１ｂの双方の待機台９ａ，９ｂの各位置と、前記受け台７の位置との間で適宜移動制御されるように設けられている。【００４１】
そして、前記帯状材料Ｂの接続は、図８Ａ、図８Ｂ、図８Ｃの略示説明図に示すように、前記受け台７上において、光電管等のセンサ１１により先の帯状材料Ｂの終端を検知したとき、前記駆動ローラ６の駆動が停止し、次の巻回体Ｂａ又はＢｂが引き出し位置に移動し、この後、前記ハンド装置１０が次の巻回体Ｂａ又はＢｂの一つの帯状材料Ｂの先端部（前記待機台９ａ又は９ｂ上に待機している先端部）を把持して、前記受け台７上に移動し、前記先端部を先の帯状材料Ｂの終端部に重ねた後、前記押さえ装置８が降下して前記重ね部分を押圧することにより、先行する帯状材料Ｂの終端部と、次の帯状材料Ｂの先端部とを自動接続する。【００４２】
また、前後の供給支持部１ａ，１ｂの一方側の支持軸２ａ又は２ｂに支持された帯状材料Ｂが終端したときは、図９Ａ，図９Ｂの略示説明図のように、前記同様にして、他方側の支持軸２ｂ又は２ａ上の帯状材料Ｂの先端部を、前記ハンド装置１０により把持して前記受け台７上に移動させて、前記押さえ装置８により先の帯状材料Ｂの終端部に自動接続する。これにより、帯状材料Ｂの連続供給が可能になる。【００４３】
前記前後の供給支持部１ａ，１ｂにおける支持軸２ａ，２ｂへの帯状材料の供給は、図７のように、台車１４上の片持ちの支持軸１５上に、帯状材料Ｂの複数の巻回体Ｂａ，Ｂｂを支持しておき、前記支持軸２ａ，２ｂ上の帯状材料Ｂがなくなったときに、前記台車１４を移動させて、前記支持軸１５の端部を前記支持軸２ａまたは２ｂの端部に係合連結させて、前記巻回体Ｂａ，Ｂｂをスライドさせて前記支持軸２ａまたは２ｂ上に移して支持させればよい。【００４４】
前記送り出しローラー６より送り出される帯状材料Ｂは、ダンサー部１７を介して上方に方向転回されて、後方に向かって水平に延びる前記送りテーブル２１上に送られる。【００４５】
前記送りテーブル２１は、下方から供給される前記帯状材料Ｂの受け入れのために供給側端部が下方に屈曲形成され、さらに該端部から続く水平部においては、図１０のように、前記帯状材料Ｂの幅に相当する間隔をおいて両側にガイド２１ａ，２１ａを備える断面略凹形状をなしており、前記帯状材料Ｂを長手方向に歪みなく送ることができるように設けられている。【００４６】
この送りテーブル２１に沿って設けられる定寸送り装置２０は、図５及び図１２、図１３に示すように、前記送りテーブル２１に沿ってサーボモータにより回転駆動されるボールネジ機構等の移動手段２２が配され、該移動手段２２に支持されて前記送りテーブル２１に沿って移動させられる移動体２３を備えている。さらに、前記移動体２３には、前記送りテーブル２１の上方において、先端部にマグネットを有しかつ下方向きに進退可能な磁気吸着手段２４を前記送りテーブル２１の長手方向に沿って所定間隔に複数備える保持部材２５が、エアーシリンダー等のシリンダー装置２５ａにより昇降可能に支持されている。【００４７】
前記保持部材２５は、前記シリンダー装置２５ａによる降下作用によって前記送りテーブル２１上の帯状材料Ｂに対し押接する押さえ板２６と、該押さえ板２６の上方に間隔をおいて設けられた支持板２７を有し、前記支持板２７に前記磁気吸着手段２４がシリンダー装置２４ａにより下方に向かって突出可能に取付けられており、前記押さえ板２６により前記送りテーブル２１上の前記帯状材料Ｂを押えた状態において、前記シリンダー装置２４ａの作動で該磁気吸着手段２４の先端部（下端部）が前記押さえ板２６に有する貫通孔２６ａを通して下方に臨出することにより、前記帯状材料Ｂを磁気吸着できるように、すなわち内部の金属製補強コードＣに対する磁気吸着力を利用して保持できるように設けられている。前記保持部材２５は、前記帯状材料Ｂを磁気吸着した状態において、前記移動体２３の移動により送りテーブル２１に沿って送り方向に所定の距離を移動することにより、該帯状材料Ｂを送り方向に送り、その後、前記磁気吸着を解除して元の位置に戻るように設けられ、これにより、前記帯状材料Ｂを設定された所定長さずつ後述するカッター装置３０の部分に給送するように設けられている。したがって、前記磁気吸着手段２４は帯状材料Ｂの送り作用に応じて進出動作が制御される。前記帯状材料Ｂの送りのための保持手段としては、前記のように磁気吸着手段２４を利用するのが制御が容易になり好ましいが、これに代えて、吸引手段等の他の保持手段を利用することもできる。【００４８】
図示する実施例装置の場合、前記送りテーブル２１におけるカッター装置３０側の端部近傍位置の下方側には、図１０及び図１１に示すように、前記帯状材料Ｂの動きを規制するための保持手段として、シリンダー装置２８ａにより上方向きに進退可能な磁気吸着手段２８が配設され、カッター装置３０による切断時に、該磁気吸着手段２８の先端部が上方向きに進出して前記送りテーブル２１を貫通してテーブル上に臨出することにより、該送りテーブル２１上の前記帯状材料Ｂを吸着保持するように設けられている。そのため、前記送りテーブル２１には、前記磁気吸着手段２８のマグネットを含む先端部が貫通し得る貫通孔２１ｂが設けられている。この磁気吸着手段２８による保持作用は帯状材料Ｂの給送作用に対応して制御される。２９は前記帯状材料Ｂの定寸送り時の送り検出用のエンコーダーである。前記帯状材料Ｂの保持手段としては、吸引手段その他の帯状材料Ｂを送りテーブル２１上に保持できる保持手段を利用することもでき、その場合の保持作用も前記同様に制御される。【００４９】
前記カッター装置３０は、前記送りテーブル２１の送り方向前方側に設けられており、例えば図１４〜図１６のように、前記帯状材料Ｂの送りテーブル２１による送行部を挟んで上下で対をなし、かつ帯状材料Ｂの長手方向に対し平面でみて斜めに配されたカッター刃３１，３２を有してなり、該両カッター刃３１，３２により、前記定寸送り装置２０による前記帯状材料Ｂの間欠的な給送毎に該帯状材料Ｂの先端側部分を所定長さで長手方向に対して所定の傾斜角度の斜めに切断するように設けられている。【００５０】
図示するカッター装置３０の場合、上下一対の前記カッター刃３１，３２のうちの下側のカッター刃３２は、帯状材料Ｂの送行部の下面に沿って保持用のフレーム部材３３に固定された固定刃、他方、上側のカッター刃３１は、前記帯状材料Ｂの送行部の上方においてサーボモータ３４により回転するカム軸３５に連結されて上下動するアーム部材３６に取り付けられた動刃であり、カム軸３５の回転により該上側のカッター刃３１が前記下側のカッター刃３２との摺り合わせ位置まで降下することにより、上下の両カッター刃３１，３２間の帯状材料Ｂを斜めに切断するように設けられている。図の場合、前記カム軸３５が前記フレーム部材３３の上部に回転可能に支持されて前記サーボモータ３４に連結され、該カム軸３５上のカム３５ａに嵌合して上下動する連結部材３７に前記アーム部材３６がピン連結されており、前記サーボモータ３４による前記カム軸３５の回転により、前記アーム部材３６に取り付けられた前記カッター刃３１が上下動するように設けられている。【００５１】
前記カッター装置３０は、前記両カッター刃３１，３２の前記帯状材料Ｂに対する斜めの角度方向、つまりは帯状材料Ｂに対する斜めの切断角を変更調整できるように設けられる。その手段として、例えば、前記カッター刃の保持用のフレーム部材３３が、装置フレームに固定される下部支持体３８に対し前記両カッター刃３１，３２の略中間を通る上下方向の軸心を中心に回動可能に支持され、該下部支持体３８に備えるサーボモータ等の回動手段３９により前記フレーム部材３３が所定の角度回動するように設けられる。もちろん、他の回動支持手段を利用することもできる。３１ａは前記カッター刃３１を上下動させるための手動操作用のハンドルで、前記カム軸３５に取設されている。【００５２】
前記保持用テーブル４０は、図１７及び図１８のように、テーブル用支持基板４０ａの上に、前記帯状材料Ｂの先端側部分を受ける所定長のテーブル体４１を備えるとともに、前記帯状材料Ｂの先端側部分を両側から挟着して位置決めする一対の板状のガイドバー４２，４２を備え、さらに前記先端側部分を前記テーブル体４１上に保持するための保持手段を備えている。すなわち、前記の保持手段の１例として、前記テーブル体４１の下方部に、先端部にマグネットを有し、かつ上方向きに進退可能な複数の磁気吸着手段４３が、前記テーブル体４１の長手方向に沿って配設され、前記帯状材料Ｂの先端側部分を下方から吸着してテーブル体４１上に保持するように設けられている。【００５３】
図の場合、前記テーブル体４１は前記支持基板４０ａの上に前記帯状材料Ｂよりやや狭い幅で送り方向に延びており、前記ガイドバー４２，４２は、該テーブル体４１を挟んで前記支持基板４０ａ上の両側に対向配置されており、該ガイドバー４２，４２に連結されたエアシリンダー等のシリンダー装置４４，４４の作動により、互いの対向方向に変位するように設けられている。４５，４５は前記変位を正確に行わせる支持ガイドである。シリンダー装置４４と支持ガイド４５とは前記支持基板４０ａ上に載設されている。【００５４】
また、複数の前記磁気吸着手段４３は、前記支持基板４０ａの下面に連結された保持部材４６の下部支持板４６ａ上において、前記シリンダー装置４３ａにより上方に向かって突出可能に取付けられて支持されており、前記シリンダー装置４３ａの作動で前記先端部（上端部）が前記支持基板４０ａとテーブル体４１に有する貫通孔４１ａを通して上方に臨出することにより、該テーブル体４１上に位置決めされた前記帯状材料Ｂの先端側部分を磁気吸着して保持できるようになっている。そして、前記帯状材料Ｂを吸着保持した状態において、前記カッター装置３０が切断作用を行うように設定されている。この磁気吸着手段４３による保持作用は、前記シリンダー装置４３ａにより下方に後退（降下）することにより解除される。【００５５】
また、前記保持用テーブル４０は、前記テーブル体４１及び前記磁気吸着手段４３の保持部材４６を含む全体が、前記帯状材料Ｂの送り方向（前記テーブル体４１の長手方向）に進退可能に支持されており、前記帯状材料Ｂの切断後に、切断されたベルト材片ｂを磁気吸着手段４３により保持した状態のまま前記カッター装置３０の部分から送り方向前方に進出させ、前記ベルト材片ｂを長尺の帯状材料Ｂの側から分離させることができるように設けられている。【００５６】
その手段として、図１８及び図１９に示すように、前記保持用テーブル４０の下方部において前記帯状材料Ｂの送り方向に沿ってサーボモータにより回転駆動されるボールネジ機構等の移動手段４８が配され、該移動手段４８に支持されて前記送り方向に往復移動させられる移動体４９を備え、該移動体４９に前記保持部材４６が連結されて支持されており、前記移動体４９が送り方向前方に移動することにより、前記保持テーブル４０の全体が、切断された前記ベルト材片ｂを保持した状態で移動して、前記カッター装置３０の部分から切り離すようになっている。この切り離し位置において前記ベルト材片ｂが後述する移載装置Ｔの保持手段により保持されて移載されるように設けられる。前記帯状材料Ｂの先端側部分を保持する保持手段として、吸引等の他の手段を利用する場合も同様に構成される。４７は帯状材料Ｂの送り検出用のエンコーダーである。【００５７】
前記ベルト材片ｂを前記切断工程部Ａ１から整列工程部Ａ２に移載する移載装置Ｔは、図２０〜図２２に拡大して示すように、次のような構成よりなる。【００５８】
前記切断工程部Ａ１と整列工程部Ａ２との上方で両工程部に対し交差方向（主として直交方向）に跨って、サーボモータにより回転駆動されるボールネジ機構等の移動手段５０が配され、該移動手段５０により支持されて前記両工程部Ａ１，Ａ２に跨って往復移動させられる移動体５１を備えている。そして、前記移動体５１には、前記ベルト材片ｂを保持する保持手段が、昇降及び上下方向の軸心を中心に回動可能に支持されている。図の場合は、前記保持手段として、先端部（下端部）にマグネットを有しかつ下方向きに進退可能な磁気吸着手段５２を複数備えてなる保持部材５３が設けられている。具体的には、前記移動体５１にサーボモータにより回転駆動されるボールネジ機構等の昇降用の移動手段５５が取り付けられ、該移動手段５５により支持されて昇降する昇降部材５６を備えるとともに、この昇降部材５６にサーボモータよりなる回動手段５７が上下方向の軸心をなすように付設され、この回動手段５７に、前記保持部材５３が取り付けられており、前記昇降用移動手段５５と回動手段５７の作動が制御されることにより、適宜昇降及び回動するように設けられている。【００５９】
前記保持部材５３は、前記保持用テーブル４０のテーブル体４１上に保持され切断されたベルト材片ｂの長さに略対応する長さ、特に好ましくは該ベルト材片ｂの最長の長さよりやや長い長さを持っており、次のようにベルト材片ｂを水平姿勢に弛み無く吸着保持できるように構成されている。【００６０】
前記保持部材５３は、前記昇降用移動手段５５による降下作用によって、前記カッター装置３０から切り離し位置にある前記テーブル体４１上の両ガイドバー４２，４２間に保持されたベルト材片ｂに対し両ガイドバー４２，４２間に嵌入して押接し得る押さえ板５８と、該押さえ板５８の上方に間隔をおいて設けられた支持板５９を有している。そして、前記支持板５９に前記複数の磁気吸着手段５２が長手方向に所定の間隔をおいてシリンダー装置５２ａにより下方に向かって突出可能に取付けられており、前記押さえ板５８により前記テーブル体４１上の前記ベルト材片ｂを押えた状態において、前記シリンダー装置５２ａの作動で前記磁気吸着手段５２の先端部（下端部）が前記押さえ板５８に有する貫通孔５８ａを通して下方側に臨出することにより、前記ベルト材片ｂを磁気吸着できるように設けられている。前記保持用テーブル４０の磁気吸着手段４３は、前記磁気吸着手段５２の磁気吸着作用後に吸着を解除するように設けられる。【００６１】
そして、前記切断工程部Ａ１と整列工程部Ａ２とに跨る前記移動手段５０、前記昇降用の移動手段５５および前記回動手段５７は、前記磁気吸着手段５３による前記ベルト材片ｂを保持部材５３に吸着した状態において、昇降用移動手段５５の作動により前記ベルト材片ｂを吸着保持した前記保持部材５３を上昇させて、前記ベルト材片ｂを持ち上げ、この持ち上げ状態において、前記移動手段５０の作動により昇降用移動手段５５と共に後述する整列工程部Ａ２の整列コンベア６０上に移送し、さらにこの移送の間に、前記回動手段５７の作動により前記ベルト材片ｂの斜めの切断端が前記整列コンベア６０の搬送方向と同方向をなすように前記保持部材５３を斜めに回動させ、この後、前記昇降用移動手段５５の作動による降下作用で、前記保持部材５３の下面に吸着保持されているベルト材片ｂを、整列コンベア６０上の所定の位置に前記斜めの切断端を斜めに揃えて載置し、その後、前記磁気吸着手段５２による吸着を解除して、元の前記保持用テーブル４０の切り離し位置の上方位置に戻すように設定されている。【００６２】
また、前記整列工程部Ａ２に備える整列コンベア６０は、図２３及び図２４に示すように、コンベア体６１が製造対象となるベルト部材の最大幅に対応してこれよりもやや広幅で輪状に連続した無端ベルトよりなるベルトコンベアであり、前記コンベア体６１が、台枠６２の上方所定の高さ位置において支持枠６３により支持されて、前記移載装置Ｔにより移載されるベルト材片ｂを受け取るように設けられている。前記コンベア体６１は、前記支持枠６３の前後両端部に配設されているプーリ６４，６４に掛架されて、上部側走行部分６１ａが前記支持枠６３の水平の上板部６３ａ上を摺接して水平状態に保持されて走行するように設けられ、さらに、下部側走行部分６１ｂの一部がサーボモータ等の駆動モータ６５により回転駆動される駆動用プーリ６６に係合されて、該駆動用プーリ６６の回転により、前記上部側走行部分６１ａにおいて前後方向に回動するように設けられている。前記各プーリ６４，６４及び駆動用プーリ６６は、周方向に凹凸をなす溝付きローラよりなり、前記コンベア体６１の裏面（内側面）に付設された溝付きの帯状部材６１ｃに有する凹凸が、前記各プーリ６４，６４および６６の各凹凸と噛合することにより、該コンベア体６１がスリップなく回動できるようになっている。図中の６７は前記コンベア体６１の弛みをなくすためのテンションローラである。【００６３】
前記整列コンベア６０は、前記支持枠６３が前記台枠６２上に、モータ６８により駆動されるスクリュージャッキ等の昇降手段６９により昇降可能に支持されており、前記ベルト材片ｂを整列し接合する時の高さ、及び、前記ベルト材片ｂが接合されたベルト部材Ｂ１０を送出する時の高さを、適宜調整できるように設けられている。すなわち、後述するように前記整列コンベア６０の送出側端部に対向するベルト用成型ドラムＤに対し前記ベルト部材Ｂ１０を直接送出して貼り付ける場合、前記成型ドラムＤの高さやドラム径等に応じて適宜高さ調整できるように設けられる。一例として、前記整列コンベア６０は、前記ベルト材片ｂの整列及び接合時には成型ドラムＤの周面における最上面より高い位置に保持され、前記ベルト部材Ｂ１０の送出時には前記成型ドラムＤの最上面と略同一の水平面上の高さに位置するように高さ調整される。図中の６２ａは昇降用の支持ガイドである（図７参照）。【００６４】
前記整列コンベア６０は、前記駆動用モータ６５の回転制御により、前記ベルト材片ｂが整列コンベア６０上に移載される毎に、該整列コンベア６０が前記ベルト材片ｂに略相当する寸法分ずつ間欠的に、例えば送出方向（前方）とは反対方向（後方）に送行するように設定されており、これにより、順次移載される各ベルト材片ｂを順次斜めに整列させて側辺同士を接合できるように設けられている。そして、前記ベルト材片ｂの整列、接合により製造すべき所定のベルト部材Ｂ１０の長さになれば、前記駆動用モータ６５の回転制御による整列コンベア６０の送行により、前記ベルト部材Ｂ１０を前方へ送出できるように設定される。【００６５】
さらに、前記支持枠６３の上板部６３ａには、前記コンベア体６１の上部側走行部分６１ａの前記移載装置Ｔによる前記ベルト材片ｂの移載位置付近に、コンベア体６１の裏面に近接して前記ベルト材片ｂを該コンベア体６１上にずれ動きなく保持するためのマグネットよりなる磁気吸着手段７０が複数配設されている。この磁気吸着手段７０は、コンベア体６１による移動には影響ない程度の磁気力に設定される。図の場合、前記磁気吸着手段７０は、前記移載装置Ｔにより切断端が搬送方向をなすように斜めに移載されるベルト材片ｂに移載位置に略沿って配設されるとともに、整列し接合された各ベルト材片ｂの動きを規制できるように、斜めの配設位置の両端付近の幅方向にも配設されている。さらに、必要に応じて、前記ベルト材片ｂの整列方向にも同様の磁気吸着手段を配設しておくことができる。【００６６】
そして、前記の整列コンベア６０は、その送出側端部がタイヤ製造上におけるベルト部材Ｂ１０を貼り付け成型する位置のベルト用成型ドラムＤに対向するように設置されており、前記のように前記成型ドラムＤの最上面と略同一の高さに位置するように高さ調整した状態において、前記ベルト部材Ｂ１０を、前記成型ドラムＤ上に送出して同時に該ドラム周面に対し貼り付け成型できるように設けられている。前記整列コンベア６０の送出側端部には、前記ベルト部材Ｂ１０を送出する際に、該ベルト部材Ｂ１０を前記コンベア体６１上から分離するためのスクレーパー７１が設けられている。前記のスクレーパー７１は、その上面が前記コンベア体６１の上面の延長上にあって、その先端部が前記成型ドラムＤの周面に近接して、かつ最上面と略同高さになるように設けられている。【００６７】
図２５および図２６は、前記ベルト部材Ｂ１０の貼り付け装置を示している。前記整列コンベア６０の送出側部分の上方から前記成形ドラムＤの上方にわたってサーボモータにより回転駆動されるボールネジ機構等の移動手段７２が設けられ、この移動手段７２による移動体７３が、前記整列コンベア６０の上方と前記成形ドラムＤの上方との間で往復移動可能に設けられている。そして、前記移動体７３に、サーボモータにより回転駆動されるボールネジ機構等の昇降用の移動手段７４が取り付けられ、該移動手段７４により支持されて昇降する昇降部材７５の下部に、先端部（下端部）にマグネットを有しかつ下方向きに進退可能な磁気吸着手段７６が配設された保持部材７７、例えば図のように整列コンベア６０の搬送方向に平行をなす３つの保持部材７７が連結されて、昇降部材７５と共に昇降するように支持されている。【００６８】
前記保持部材７７は、それぞれ前記整列コンベア６０の上方位置での降下により該整列コンベア６０上のベルト部材Ｂ１０に対接する押さえ板７８と、該押さえ板７８の上方に間隔をおいて設けられた支持板７９を有し、前記支持板７９に前記複数の磁気吸着手段７６が長手方向に所定の間隔をおいてシリンダー装置７６ａにより下方向きに取付けられており、前記押さえ板７８により前記整列コンベア６０上の前記ベルト部材Ｂ１０を押さえた状態において、前記シリンダー装置７６ａの作動で前記磁気吸着手段７６の先端部（下端部）が前記押さえ板７８に有する貫通孔７８ａを通して下方側に臨出することにより、前記ベルト部材Ｂ１０を前記押さえ板７８の下面に磁気吸着して保持できるように設けられている。これにより、前記整列コンベア６０上のベルト部材Ｂ１０を、前記押さえ板７８の下面に保持した状態で先端部から前記成型ドラムＤの上に移送できるようになっている。【００６９】
前記ベルト部材Ｂ１０を前記押さえ板７８の下面に保持するための手段としては、前記の磁気吸着手段７６に代えて、吸引等による他の吸着手段（図示せず）を利用することもできる。【００７０】
前記の３つの保持部材７７のうち、中央部の保持部材７７Ａは、前記昇降部材７５の下部板７５ａに対し固定されているが、両サイドの２つの保持部材７７は、前記下部板７５ａに対し左右方向のガイド８０ｂを介してスライド可能に支持されるとともに、サーボモータ８０により駆動するピニオン／ラック機構８０ａやネジ軸等の適宜の手段により左右に変位可能に設けられている。これにより、前記両サイドの保持部材７７の間隔を、製造対象のベルト部材Ｂ１０の幅に応じて調整できるようになっている。【００７１】
なお、前記移動体７３の移動速度は、前記整列コンベア６０によるベルト部材Ｂ１０の送出に対応して、該送出速度と同速度に設定され、さらに成型ドラムＤの周面上の貼り付け速度に対応するように設定される。すなわち成型ドラムＤは、前記ベルト部材Ｂ１０の送出に対応して回転し、且つ周面上の貼り付け速度が前記送出速度に対応するように設定される。【００７２】
図中の８１は成型ドラムＤを回転可能に支持する移動台、８２は該移動台８０の移動用の軌道であり、他のタイヤ構成部材の成型位置に移動させるように設けられている。例えば、図１〜図３のように、２つの製造装置Ｅ１，Ｅ２を並設して実施している場合、一方の製造装置Ｅ１に対応する成型位置から、他方の製造装置Ｅ２に対応する成型位置あるいは後続の他の成型位置に移動させるように設けられる。【００７３】
上記の製造装置により、タイヤ用ベルトを製造する方法及び動作状態について、動作ステップを示す図２７、図２８、図２９、図３０等を参照して説明する。【００７４】
図２７Ａ〜図２７Ｅは帯状材料Ｂの定寸送りの動作ステップを示している。通常、装置の連続運転を開始するまでに、切断工程部Ａ１の送りテーブル２１の下方の材料供給部１から引き出した前記帯状材料Ｂを、上方に方向転回して前記送りテーブル２１の上にその後端側から送り方向に送入し、その先端部をカッター装置３０の位置まで送り込んで、前記カッター装置３０により先端部を所定の角度で斜めに切断しておく。このとき、前記送りテーブル２１における前記カッター装置３０側の端部近傍位置の下方側に備える磁気吸着手段２８が上昇し、前記帯状材料Ｂを保持している（図２７Ａ）。【００７５】
前記の状態から装置運転により製造を開始する。先ず、帯状材料Ｂの定寸送りについては、前記送りテーブル２１に沿って設けられた定寸送り装置２０の移動体２３に備える保持部材２５を、シリンダー装置２５ａ（図１２参照）の作動により降下させて、その下面（押さえ板２６の下面）を前記帯状材料Ｂに対し押接させ、さらにこの状態で、該保持部材２５に備える磁気吸着手段２４をシリンダー装置２４ａ（図１２参照）の作動により進出降下させて、前記帯状材料Ｂを磁気吸着し保持部材２５の下面に保持する（図２７Ｂ）。また、この保持後に、前記カッター装置３０側の端部近傍の磁気吸着手段２８を降下させて保持作用を解除する。【００７６】
次に、定寸送り装置２０に備える移動手段２２の作動により、前記移動体２３を前記保持部材２５と共に送り方向に移動させて、前記帯状材料Ｂを、製造すべきベルト部材Ｂ１０の幅やコードの傾斜角度等に応じて設定された所定の長さ寸法分を給送し、前記帯状材料Ｂの先端側部分をカッター装置３０の部分を通過させ、該カッター装置３０より送り方向前方の保持用テーブル４０の上に送り込む。さらに、前記の送りが停止すると、前記送りテーブル２１のカッター装置３０側の端部近傍の磁気吸着手段２８を上昇させて、前記帯状材料Ｂを吸着し送りテーブル２１上に保持する（図２７Ｃ）。同時に、前記保持用テーブル４０では、後述するように、前記帯状材料Ｂの先端側部分が保持用テーブル４０の所定位置に位置決めされて磁気吸着手段４３により吸着保持される。【００７７】
この後、前記保持部材２５の磁気吸着手段２４を上方に後退（上昇）させ手磁気吸着を解除するとともに、該保持部材２５の全体を上昇させ、前記移動体２３と共に元の位置に復帰させる（図２７Ｄ）。この状態で、上下のカッター刃３１，３２よりなるカッター装置３０を、例えば上側のカッター刃３１の降下により切断作用を行わせて、前記帯状材料Ｂの先端側部分を長手方向に対し斜めに切断し、両端が斜めの切断端よりなる短冊状のベルト材片ｂとして切離する。【００７８】
この切断後、前記保持テーブル４０が、前記切断されたベルト材片ｂを保持したまま送り方向前方へ移動して、前記ベルト材片ｂが切り離され（図２７Ｅ）、後述のようにして移載装置Ｔにより整列コンベア６０上に移載される。【００７９】
以後、同様にして前記帯状材料Ｂの定寸送りが、切断されたベルト材片ｂの移載及び整列作用に対応して間欠的に実行される。【００８０】
図２８Ａ〜図２８Ｆは、前記のように間欠的に給送される前記帯状材料Ｂの保持、切断後の切り離し、及び移載装置Ｔによるベルト材片ｂの移載等の各動作ステップを示している。【００８１】
前記保持用テーブル４０は、前記の定寸送り装置２０により間欠的に給送される帯状材料Ｂの先端側部分を受け入れる際、前記カッター装置３０の部分に近接した位置にあり、またテーブル体４１の両側の位置決め用のガイドバー４２，４２が、前記帯状材料Ｂの幅より広い間隔を保有するように保持されている。この状態で、カッター装置３０の部分を通過した前記帯状材料Ｂの先端側部分を前記テーブル体４１上に受け入れる（図２８Ａ）。【００８２】
前記の帯状材料Ｂの給送作用が停止すると、前記両側のガイドバー４２，４２がシリンダー装置４４，４４（図１７、図１８参照）の作動により互いの対向方向に変位して、前記帯状材料Ｂを両側から挟み、これにより幅方向のセンターを出すように位置決めし、さらに、テーブル体４１の下方に備える上方向きの磁気吸着手段４３がシリンダー装置４３ａ（図１７参照）の作動により上昇して、前記帯状材料Ｂをテーブル体４１上に保持する（図２８Ｂ）。この保持状態において、前記のカッター装置３０による切断作用を行い、前記帯状材料Ｂの先端側部分を基体部側とは分断する（図２８Ｂ）。このとき、前記送りテーブル２１の側では、前記カッター装置３０の近傍において磁気吸着手段２８により吸着保持されているため、前記切断がずれを生じさせることなく正確に行われる。【００８３】
そして、前記の切断が完了すると、前記保持用テーブル４０は、これを移動可能に支持する下方の移動手段４８の作動により、前記の切断されたベルト材片ｂを保持した状態のまま前記カッター装置３０との近接位置から送り方向前方に移動し、これにより前記ベルト材片ｂを帯状材料Ｂの基体部側から切り離す（図２８Ｃ）。【００８４】
このとき、前記保持用テーブル４０の切り離し位置の上方には、切断工程部Ａ１と整列工程部Ａ２とに跨る前記移載装置Ｔにおける保持部材５３、特に昇降及び回動可能に支持されている保持部材５３が、前記保持用テーブル４０上のベルト材片ｂの長手方向に沿って対応位置している（図２８Ｄ）。そして、前記保持用テーブル４０が所定の位置まで切り離されると、前記保持用テーブル４０に有するガイドバー４２，４２が開いてベルト材片ｂの両側からの保持作用を解除した後、前記保持部材５３が昇降用移動手段５５の作動により降下し、該保持部材５３の下面が前記保持用テーブル４０の上に保持されているベルト材片ｂに接し、さらに、該保持部材５３に備える磁気吸着手段５２がシリンダー装置５２ａの作動により下方向きに進出して、該保持部材５３の下面に臨出し、前記ベルト材片ｂを磁気吸着し保持部材５３の下面に保持する（図２８Ｅ）。また、これと同時に、前記保持用テーブル４０の磁気吸着手段４３が降下することにより、吸着保持作用を解除する。【００８５】
次に、前記保持部材５３がその下面に前記ベルト部片ｂを保持した状態で前記昇降用移動手段５５の作動により上昇するとともに（図２８Ｆ）、切断工程部Ａ１と整列工程部Ａ２とに跨る移動手段５０の作動により、これに備える移動体５１が移動するのに伴って、この移動体５１に取り付けられた前記昇降用移動手段５５、及び該昇降用移動手段５５の昇降部材５６に回動手段５７を介して支持されている前記保持部材５３が整列コンベア６０上に移動する。また、この移動の間に、前記回動手段５７の作動により前記保持部材５３が回動し、前記保持部材５３の下面に保持されている前記ベルト材片ｂの斜めの切断端が整列コンベア６０の搬送方向と同方向をなすよう方向を変える。【００８６】
こうして、前記整列コンベア６０の上方から前記昇降用移動手段５５の作動により降下し、前記保持部材の下面に保持されているベルト材片ｂを整列コンベア６０上の所定の位置に押接させるとともに、この状態において、該保持部材５３に備える前記磁気吸着手段４２が上昇することにより吸着吸着作用を解除し、さらに、前記昇降用移動手段５５の作動により前記ベルト材片ｂを残して前記保持部材５３が上昇することにより、該ベルト材片ｂが前記整列コンベア６０上に載置される（図２８Ｇ）。【００８７】
一方、上昇した前記保持部材５３は、前記移動手段５１の作動により移動体５２とともに元の前記保持用テーブル４０の切り離し位置の上方にまで戻動するとともに、この戻動の間に、前記回動手段５７の作動により、前記保持部材５３の長手方向が該保持用テーブル４０の長手方向に対応するように回動し元の状態に復帰する。以後、同様にして、前記帯状材料Ｂの間欠的な定寸送り及び作用毎に、これに対応して、切断されたベルト材片ｂの移載が繰り返し行われ、各ベルト材片ｂが接合される。【００８８】
図２９Ａ〜図２９Ｃは、整列コンベア６０上での前記ベルト材片ｂの整列状態の動作ステップを示している。【００８９】
前記整列コンベア６０上では、前記移載装置Ｔにより保持部材５３の下面に保持された短冊状のベルト材片ｂが、斜めの切断端が該整列コンベア６０の搬送方向と同方向をなすように移載されると（図２９Ａ）、この１回の移載毎に、該整列コンベア６０を前記ベルト材片ｂに略相当する寸法分、特には前記切断端の長さ（ｆ１）に対応した寸法分を、例えば図のように、整列コンベア６０からの送出方向とは反対方向に１回送行させる（図２９Ｂ）。こうして、前記と同様の移載作用により移載されてくるベルト材片ｂを、前記整列コンベア６０上の所定の位置、すなわち前回に載置されたベルト材片ｂに隣接する所定位置に並べてかつ切断端を揃えるように整列して載置することにより（図２９Ｂの鎖線）、該ベルト材片ｂの側辺と、先のベルト材片ｂの側辺とを接合する。この際、前記ベルト材片ｂの側端面を、例えば図４に示すように傾斜面に形成しておくことにより、この側端面の傾斜を利用して一部を重ね合わせた状態で確実に接合できる。【００９０】
このようにして、前記整列コンベア６０上に前記ベルト材片ｂが移載される毎に、前記整列コンベア６０を前記ベルト材片ｂに略相当する寸法分ずつ間欠的に送行させ、各ベルト材片ｂを、前記整列コンベア６０上において斜めの切断端を揃えるように順次整列させて側辺同士を接合することを繰り返すことにより、補強コードＣが斜め方向をなす所定長のベルト部材Ｂ１０を形成することができる（図２９Ｃ）。【００９１】
このように、間欠的に給送されるベルト用帯状材料Ｂの先端側部分の斜めの切断から、切断されたベルト材片ｂの整列コンベア６０への移載、整列、接合までの各工程を、前記帯状材料Ｂ及び切断されたベルト材片ｂを磁気吸着手段等の保持手段により常に保持した状態で行うので、切断の際に切断長さや斜めの切断角度に歪みを生じることがなく、また、切断された後のベルト材片ｂの移載及び整列の際のずれ動き等も規制でき、斜めの切断端の方向を揃えて歪みを生じさせることなく移載し整列させることができる。したがって、切断工程部Ａ１と整列工程部Ａ２とを平行配置しているにも拘わらず、各ベルト材片ｂを正確に且つ均一に接合することができ、良品質のベルト部材Ｂ１０を得ることができる。【００９２】
得られた所定長のベルト部材Ｂ１０は、前記整列コンベア６０の作動により、送出側端部から台車上等に送出して一旦ストックすることもできるが、ここでは、図示する実施例のように、直接タイヤ成型工程における成型ドラムＤ上に送出する。【００９３】
図３０Ａ〜図３０Ｅは、ベルト部材Ｂ１０の貼り付け状態の動作ステップを示している。【００９４】
前記のように、前記整列コンベア６０で所定長の前記ベルト部材Ｂ１０が形成されると、例えば前記成型ドラムＤより高い位置に保持されていた前記整列コンベア６０が、昇降手段６９の作動により降下して、該成型ドラムＤの最上面と略同一の水平面上の高さに位置するように高さ調整される。この状態において、前記整列コンベア６０の上方と成型ドラムＤの上方との間で移動手段７２により往復移動可能に設けられた移動体７３に昇降部材７５を介して支持されている保持部材７７が、昇降用移動手段７４の作動により降下し、該保持部材７７の下面が前記整列コンベア６０上のベルト部材Ｂ１０の送出側端部近傍に押圧し（図３０Ａ）、さらに、該保持部材７７に備える磁気吸着手段７６がシリンダー装置の作動により下方に進出して該保持部材７７の下面に臨出することにより、前記ベルト部材Ｂ１０を吸着して該保持部材７７の下面に、特には整列コンベア６０との間に挟んだ状態で保持する。この状態で、前記整列コンベア６０が駆動されて前記ベルト部材ｂを送出方向に搬送するのと同時に、これに同期して、前記移動手段７２が作動し、前記移動体７３とともに前記保持部材７７がその下面に前記ベルト部材Ｂ１０の先端部を保持した状態のまま送出方向に移動し、該ベルト部材Ｂ１０の先端部を成型ドラムＤの周面に該ドラムの回転に合わせて押圧して貼り付ける（図３０Ｂ）。【００９５】
次に、前記保持部材７７の長さに相当する分の貼り付けが完了すると、成型ドラムＤの回転が停止するとともに、前記磁気吸着手段７６による吸着を解除し、前記昇降用移動手段７４の作動により昇降部材７５とともに前記保持部材７７が上昇し、さらに前記移動手段７２の作動により前記とは反対に前記整列コンベア６０上に移動して元の位置に戻り、再度、前記整列コンベア６０上のベルト部材Ｂ１０に押接するように降下して磁気吸着手段により吸着保持し（図３０Ｃ）、前記同様に、前記成型ドラムＤの回転及び前記整列コンベア６０による送出及び成型ドラムＤの回転に対応して、ベルト部材Ｂ１０を保持部材７７の下面に保持したまま送出方向に移動することにより、該ベルト部材Ｂ１０を成型ドラムＤの周面に貼り付ける（図３０Ｄ）。【００９６】
このような作用を繰り返して、整列コンベア６０上のベルト部材Ｂ１０を成型ドラムＤに貼り付けを完了する。【００９７】
なお、上記の実施例では、第１のベルト部材Ｂ１０を製造する製造装置Ｅ１について説明したが、これと並列に設置された第２のベルト部材Ｂ２０を製造する製造装置Ｅ２についても、製造するベルト部材Ｂ２０のコード方向が反対方向の傾斜になるだけで、基本的に同様の装置構成により実施できる。【００９８】
この場合において、前記二つの製造装置Ｅ１，Ｅ２について、例えば図２５および図２６に示す貼り付け装置をそれぞれ個別に設けておくことも、また１台の前記貼り付け装置を、両製造装置Ｅ１，Ｅ２のそれぞれとの対応位置に移動可能に装備することにより、両製造装置Ｅ１，Ｅ２で製造されるベルト部材Ｂ１０，Ｂ２０の貼り付け成型に兼用することもできる。【００９９】
さらにまた、上述した実施例においては、前記整列工程部Ａ２における前記整列コンベア６０について、前記ベルト材片ｂの整列及び接合の際の送行方向を、整列及び接合後の前記ベルト部材Ｂ１０の送出方向とは反対方向にした場合を示したが、これに限らず、図３１に略示するように、前記整列コンベア６０を、前記ベルト部材Ｂ１０の送出方向と同方向に間欠送行させながら前記ベルト材片ｂの整列及び接合を行い、所定の長さの前記ベルト部材Ｂ１０が製作されたなら、そのまま同方向に送出するように構成して実施することもできる。【０１００】
この場合、前記整列工程部Ａ２と平行配置される切断工程部Ａ１については、定寸送り装置２０、カッター装置３０、保持用テーブル４０及び移載装置Ｔ等をそれぞれ上記した実施例と同様に配置し、前記帯状材料Ｂの給送方向を前記整列コンベア６０の送出方向と同方向にして実施することも、また、図３１のように、前記定寸送り装置２０、カッター装置３０、保持用テーブル４０及び移載装置Ｔ等を図１とは反対方向に配置して、前記帯状材料Ｂの給送方向を前記整列コンベア６０の送出方向とは反対方向にして実施することもできる。【０１０１】
上記のいずれの実施例においても、帯状材料Ｂの供給、定寸送り装置２０による送り、カッター装置３０による切断、保持用テーブル４０による切り離し、移載装置Ｔによる移載、整列コンベア６０上での整列及び接合、成型ドラムＤ上への送出等の各動作が、順次関連して行われるように制御されるのは言うまでもない。
【産業上の利用可能性】
【０１０２】
本発明のタイヤ用ベルトの製造方法及び製造装置は、比較的小さい幅の長尺のベルト用帯状材料をベルト幅に応じた所定の長さで斜めに切断し、切断された所定長のベルト材片を接合してタイヤ１周分に相当する長さのベルト部材を作製する場合に好適に利用できる。
【図面の簡単な説明】
【０１０３】
【図１】本発明の１実施例のベルト製造装置の全体の概略を示す略示平面図である。
【図２】同製造装置の略示正面図である。
【図３】同製造装置の略示側面図である。
【図４】ベルト部材の形成状態の説明図である。
【図５】同製造装置の材料供給部と送行部の拡大側面図である。
【図６】同製造装置の材料供給部の拡大平面図である。
【図７】同製造装置の材料供給部の送り方向後方側からの正面図である。
【図８Ａ】同上の材料供給部の１つの供給支持部における通常供給状態の略示側面図である。
【図８Ｂ】同上の帯状材料の自動接続状態を説明するための接続前の略示側面図である。
【図８Ｃ】同上の接続時の略示側面図である。
【図９Ａ】同上の材料供給部の２つの供給支持部における帯状材料の自動接続状態を説明するための接続前の略示側面図である。
【図９Ｂ】同上の接続時の略示側面図である。
【図１０】同製造装置の帯状材料の送りテーブルの一部を示す平面図である。
【図１１】同上の一部の側面図である。
【図１２】同製造装置の帯状材料の定寸送り装置の概略を示す一部の側面図である。
【図１３】同上の定寸送り装置の後方からの正面図である。
【図１４】カッター装置の側面図である。
【図１５】同カッター装置の正面図である。
【図１６】同カッター装置の平面図である。
【図１７】同製造装置の保持用テーブル部分の平面図である。
【図１８】同上の正面図である。
【図１９】同上の側面図である。
【図２０】同製造装置における移載装置の平面図である。
【図２１】同上の移載装置の正面図である。
【図２２】同上の移載装置の側面図である。
【図２３】同製造装置における整列工程部の整列コンベア全体の略示平面図である。
【図２４】同整列コンベア部分の側面図である。
【図２５】成型ドラムに対する貼り付け装置の概略を示す側面図である。
【図２６】同上の平面図である。
【図２７Ａ】帯状材料の定寸送りの動作ステップを示す略示図である。
【図２７Ｂ】帯状材料の定寸送りの動作ステップを示す略示図である。
【図２７Ｃ】帯状材料の定寸送りの動作ステップを示す略示図である。
【図２７Ｄ】帯状材料の定寸送りの動作ステップを示す略示図である。
【図２７Ｅ】帯状材料の定寸送りの動作ステップを示す略示図である。
【図２８Ａ】帯状材料の保持、切断後の切り離し、及びベルト材片の移載等の各動作ステップを示す略示図である。
【図２８Ｂ】帯状材料の保持、切断後の切り離し、及びベルト材片の移載等の各動作ステップを示す略示図である。
【図２８Ｃ】帯状材料の保持、切断後の切り離し、及びベルト材片の移載等の各動作ステップを示す略示図である。
【図２８Ｄ】帯状材料の保持、切断後の切り離し、及びベルト材片の移載等の各動作ステップを示す略示図である。
【図２８Ｅ】帯状材料の保持、切断後の切り離し、及びベルト材片の移載等の各動作ステップを示す略示図である。
【図２８Ｆ】帯状材料の保持、切断後の切り離し、及びベルト材片の移載等の各動作ステップを示す略示図である。
【図２８Ｇ】帯状材料の保持、切断後の切り離し、及びベルト材片の移載等の各動作ステップを示す略示図である。
【図２９Ａ】整列コンベア上での前記ベルト材片の整列状態の動作ステップを示す略示図である。
【図２９Ｂ】整列コンベア上での前記ベルト材片の整列状態の動作ステップを示す略示図である。
【図２９Ｃ】整列コンベア上での前記ベルト材片の整列状態の動作ステップを示す略示図である。
【図３０Ａ】ベルト部材の貼り付け状態の動作ステップを示す略示図である。
【図３０Ｂ】ベルト部材の貼り付け状態の動作ステップを示す略示図である。
【図３０Ｃ】ベルト部材の貼り付け状態の動作ステップを示す略示図である。
【図３０Ｄ】ベルト部材の貼り付け状態の動作ステップを示す略示図である。
【図３０Ｅ】ベルト部材の貼り付け状態の動作ステップを示す略示図である。
【図３１】他の実施例を示す一部の略示平面図である。
【符号の説明】
【０１０４】
Ａ１…切断工程部、Ａ２…整列工程部、Ｂ…ベルト用帯状材料、Ｂ１０，Ｂ２０…ベルト部材、ｂ…ベルト材片、Ｂａ，Ｂｂ…巻回体、Ｃ…補強コ−ド、Ｄ…成型ドラム、Ｅ１，Ｅ２…製造装置、Ｔ…移載装置、１…材料供給部、１ａ，１ｂ…供給支持部、２ａ，２ｂ…支持軸、３ａ，３ｂ…支柱、４ａ，４ｂ…台部、５ａ，５ｂ…ボールネジ機構、６…送り出し用駆動ローラ、６ａ…押さえローラ、７…受け台、８…押さえ装置、９ａ，９ｂ…待機台、１１…センサ、１０…ハンド装置、１２…移動手段、１３…移動体、１４…台車、１５…支持軸、１７…ダンサー部、２０…定寸送り装置、２１…送りテーブル、２１ａ，２１ａ…ガイド、２２…移動手段、２３…移動体、２４…磁気吸着手段、２５…保持部材、２８…磁気吸着手段、３０…カッター装置、３１，３２…カッター刃、３３…フレーム部材、３４…サーボモータ、３５…カム軸、３５ａ…カム、３６…アーム部材、３７…連結部材、４０…保持用テーブル、４１…テーブル体、４２，４２…ガイドバー、４３…磁気吸着手段、４６…保持部材、４８…移動手段、４９…移動体、５０…移動手段、５１…移動体、５２…磁気吸着手段、５５…昇降用移動手段、５６…昇降部材、５７…回動手段、６０…整列コンベア、６１…コンベア体、６２…台枠、６３…支持枠、６４…プーリ、６５…駆動モータ、６６…駆動用プーリ、６７…テンションローラ、６８…モータ、６９…昇降手段、７０…磁気吸着手段、７１…スクレーパー、７２…移動手段、７３…移動体、７４…昇降用移動手段、７５…昇降部材、７６…磁気吸着手段、７７…保持部材、７８…押さえ板、７８ａ…貫通孔、７９…支持板、８０…サーボモータ、８０ａ…ピニオン／ラック機構、８０ｂ…ガイド。
【図１】
0004499782.tif 000002
【図２】
0004499782.tif 000003
【図３】
0004499782.tif 000004
【図４】
0004499782.tif 000005
【図５】
0004499782.tif 000006
【図６】
0004499782.tif 000007
【図７】
0004499782.tif 000008
【図８Ａ】
0004499782.tif 000009
【図８Ｂ】
0004499782.tif 000010
【図８Ｃ】
0004499782.tif 000011
【図９Ａ】
0004499782.tif 000012
【図９Ｂ】
0004499782.tif 000013
【図１０】
0004499782.tif 000014
【図１１】
0004499782.tif 000015
【図１２】
0004499782.tif 000016
【図１３】
0004499782.tif 000017
【図１４】
0004499782.tif 000018
【図１５】
0004499782.tif 000019
【図１６】
0004499782.tif 000020
【図１７】
0004499782.tif 000021
【図１８】
0004499782.tif 000022
【図１９】
0004499782.tif 000023
【図２０】
0004499782.tif 000024
【図２１】
0004499782.tif 000025
【図２２】
0004499782.tif 000026
【図２３】
0004499782.tif 000027
【図２４】
0004499782.tif 000028
【図２５】
0004499782.tif 000029
【図２６】
0004499782.tif 000030
【図２７Ａ】
0004499782.tif 000031
【図２７Ｂ】
0004499782.tif 000032
【図２７Ｃ】
0004499782.tif 000033
【図２７Ｄ】
0004499782.tif 000034
【図２７Ｅ】
0004499782.tif 000035
【図２８Ａ】
0004499782.tif 000036
【図２８Ｂ】
0004499782.tif 000037
【図２８Ｃ】
0004499782.tif 000038
【図２８Ｄ】
0004499782.tif 000039
【図２８Ｅ】
0004499782.tif 000040
【図２８Ｆ】
0004499782.tif 000041
【図２８Ｇ】
0004499782.tif 000042
【図２９Ａ】
0004499782.tif 000043
【図２９Ｂ】
0004499782.tif 000044
【図２９Ｃ】
0004499782.tif 000045
【図３０Ａ】
0004499782.tif 000046
【図３０Ｂ】
0004499782.tif 000047
【図３０Ｃ】
0004499782.tif 000048
【図３０Ｄ】
0004499782.tif 000049
【図３０Ｅ】
0004499782.tif 000050
【図３１】
0004499782.tif 000051